(57)【特許請求の範囲】
【請求項１】
上蓋部と下蓋部とからなり、前記上蓋部と前記下蓋部との間に錠剤を収容することができる収容領域が備えられ、前記下蓋部の側壁には開口部が設けられ、前記開口部から前記収容領域に収容された錠剤を外に取り出すことのできる錠剤ケースであって、
前記収容領域は、前記開口部に近い錠剤取り出し領域と前記開口部から遠い錠剤保持領域とを有し、前記錠剤取り出し領域と前記錠剤保持領域とを分離するように前記下蓋部の内底面に錠剤戻り防止部が形成され、
前記錠剤戻り防止部が、前記下蓋部の内底面から山型に突出され、錠剤取り出し領域側の面と錠剤保持領域側の面を有する突出段差部からなり、前記錠剤取り出し領域側の面が垂直または急斜面にされ、前記錠剤保持領域側の面が前記錠剤取り出し領域側の面に対して緩やかにされていることを特徴とする錠剤ケース。
【請求項２】
前記錠剤取り出し領域側の面または前記錠剤保持領域側の面の少なくとも一方が凸曲面からなることを特徴とする請求項１に記載の錠剤ケース。
【請求項３】
前記突出段差部の前記錠剤取り出し領域側の面が、平面視波状となることを特徴とする請求項１または２に記載の錠剤ケース。
【請求項４】
前記錠剤戻り防止部が、複数の前記突出段差部からなることを特徴とする請求項１〜３のいずれか１項に記載の錠剤ケース。
【請求項５】
前記錠剤ケースが、前記上蓋部に対して前記下蓋部をスライドさせて、前記開口部の開閉を行うスライド型ケースであることを特徴とする請求項１〜４のいずれか１項に記載の錠剤ケース。
【請求項６】
前記錠剤ケースが、前記開口部に開閉可能なヒンジキャップが備えられているヒンジキャップ付きケースであることを特徴とする請求項１〜４のいずれか１項に記載の錠剤ケース。
【請求項７】
前記下蓋部の内底面に、錠剤の姿勢を変更して前記開口部へ導出するための姿勢変更手段が備えられていることを特徴とする請求項１〜６のいずれか１項に記載の錠剤ケース。
【発明の詳細な説明】
【技術分野】
【０００１】
本発明は、錠剤や清涼用粒状物などの固形状内容物を収納し、小出しで使用するために用いられる錠剤ケースに関するものである。
【背景技術】
【０００２】
従来から、錠剤や清涼用粒状物あるいは口臭抑制剤等の固形物を収容して、小出しで使用するための携帯型のケースとしては、スライド型ケースとカード型ケースがよく知られている。
スライド型ケースは、スライド機構を備えたケースであり、たとえば、下蓋部もしくは上蓋部をスライドさせて開口部を開閉させるスライド機構や、ケース本体に設けた小出し用の孔をスライド自在の蓋によって開閉するようにしたスライド機構を備えたものが開発されている。また、カード型ケースは、携帯用に適した小型で薄型形状のデザインとされ、矩形型でカード状とされたケースである。一般に、カード型ケースは、樹脂製の上蓋部と下蓋部とを、各蓋部に設けられた凹凸のボスで嵌合したり、各蓋部の周縁においてアンダーカット嵌合して形成されている。
【０００３】
特許文献１及び特許文献２には、カード型ケースの開口部に対応する位置において上蓋部及び下蓋部の少なくとも何れか一方にヒンジキャップが設けられて開閉可能とされ、このヒンジキャップが前記開口部を閉止する状態で嵌合突起によって固定可能な構成としたカード型ケースが開示されている。たとえば、図６は、特許文献２に開示されたカード型ケースの一例を示す図であって、図６（ａ）は斜視図であり、図６（ｂ）は部分拡大図である。カード型ケースＦは、矩形型でカード状とされたケースであって、開口部にヒンジキャップ５００が取り付けられている。
また、特許文献３にはスライド開閉式の計量容器が開示されている。蓋部を開放方向にスライド移動させることにより、容器上端開口部を開放することができる構成とされている。
【０００４】
どちらのケースを使用する場合でも、内容物を取り出す際には、使用者はケースを開口部側に傾ける動作（１回の振り出し動作）を行う。この動作により、内容物を開口部から取り出すことができる。
しかしながら、錠剤がケース内部で開口部と反対の側に集まっている場合には、１回の振り出し動作で、錠剤を取り出すことができない場合があった。また、複数の錠剤がお互いにスタックして動けなくなるブロッキング現象を生じている場合にも、同様であった。
１回の振り出し動作で、内容物を取り出すことができない場合には、開口部と反対の側にケースを傾けた後、再度開口部側にケースを傾ける動作を複数回繰り返す（複数回の振り出し動作）を行う必要があった。
しかしながら、複数回の振り出し動作を行なわないと取り出しできないので、使用感が悪く、錠剤を取り出し難いというイメージが残ってしまう。また、複数回の操作を続けるうちに、錠剤の形が崩れ、割れたり、粉が出るなどの問題も発生した。
【特許文献１】特開２００５−４７６２６号公報
【特許文献２】特開２００５−１８７０７７号公報
【特許文献３】特開２００５−８１９６号公報
【発明の開示】
【発明が解決しようとする課題】
【０００５】
本発明は、上記問題に鑑みてなされたものであり、ケース内におけるブロッキング現象を抑制し、１回の取り出し操作において錠剤を確実に取り出すことが可能な錠剤ケースを提供することを目的とする。
【課題を解決するための手段】
【０００６】
上記の目的を達成するために、本発明は以下の構成を採用した。すなわち、
本発明の錠剤ケースは、上蓋部と下蓋部とからなり、前記上蓋部と前記下蓋部との間に錠剤を収容することができる収容領域が備えられ、前記下蓋部の側壁には開口部が設けられ、前記開口部から前記収容領域に収容された錠剤を外に取り出すことのできる錠剤ケースであって、前記収容領域は、前記開口部に近い錠剤取り出し領域と前記開口部から遠い錠剤保持領域とを有し、前記錠剤取り出し領域と前記錠剤保持領域とを分離するように前記下蓋部の内底面に錠剤戻り防止部が形成されたことを特徴とする。
【０００７】
本発明の錠剤ケースは、前記錠剤戻り防止部が、前記下蓋部の内底面から山型に突出され、錠剤取り出し領域側の面と錠剤保持領域側の面を有する突出段差部からなり、前記錠剤取り出し領域側の面が垂直または急斜面にされ、前記錠剤保持領域側の面が前記錠剤取り出し領域側の面に対して緩やかにされていることを特徴とする。
【０００８】
本発明の錠剤ケースは、前記錠剤取り出し領域側の面または前記錠剤保持領域側の面の少なくとも一方が凸曲面からなることを特徴とする。
本発明の錠剤ケースは、前記突出段差部の前記錠剤取り出し領域側の面が、平面視波状となることを特徴とする。
本発明の錠剤ケースは、前記錠剤戻り防止部が、複数の前記突出段差部からなることを特徴とする。
【０００９】
本発明の錠剤ケースは、前記錠剤ケースが、前記上蓋部に対して前記下蓋部をスライドさせて、前記開口部の開閉を行うスライド型ケースであることを特徴とする。
本発明の錠剤ケースは、前記錠剤ケースが、前記開口部に開閉可能なヒンジキャップが備えられているヒンジキャップ付きケースであることを特徴とする。
前記下蓋部の内底面に、錠剤の姿勢を変更して前記開口部へ導出するための姿勢変更手段が備えられていることを特徴とする。
【発明の効果】
【００１０】
本発明によれば、ケース内におけるブロッキング現象を抑制し、１回の取り出し操作において錠剤を確実に取り出すことが可能な錠剤ケースを提供することができる。
本発明の錠剤ケースは、開口部に近い錠剤取り出し領域と開口部から遠い錠剤保持領域とからなる収容領域を有し、錠剤保持領域に必要量の錠剤を保持することができるとともに、開口部から取り出すことが容易な錠剤取り出し領域に常に錠剤を配置して、１回の振り出し動作で確実に錠剤を取り出すことができる。
【００１１】
本発明の錠剤ケースは、開口部に近い錠剤取り出し領域と開口部から遠い錠剤保持領域との間に錠剤戻り防止部が形成される構成なので、錠剤が錠剤保持領域から錠剤取り出し領域へ移動することは易しく、錠剤取り出し領域から錠剤保持領域へ移動することは難しくすることができる。その結果、収容領域に保持された錠剤を、より錠剤取り出し領域に集め、１回の振り出し動作で確実に錠剤を取り出すことができる。
【００１２】
本発明の錠剤ケースは、錠剤戻り防止部が、下蓋部の内底面から山型に突出され、錠剤取り出し領域側の面と錠剤保持領域側の面を有する突出段差部からなり、錠剤取り出し領域側の面が垂直または急斜面にされ、錠剤保持領域側の面が錠剤取り出し領域側の面に対して緩やかにされている構成なので、錠剤が錠剤保持領域から錠剤取り出し領域へ移動することは易しく、錠剤取り出し領域から錠剤保持領域へ移動することは難しくすることができる。その結果、収容領域に保持された錠剤を、より錠剤取り出し領域に集め、１回の振り出し動作で確実に錠剤を取り出すことができる。
【発明を実施するための最良の形態】
【００１３】
以下、本発明を実施するための形態を説明する。しかし、本発明は、これらの実施形態にのみ限定されるものではない。本発明の範囲内において適宜変更して採用することが可能なものである。
（実施形態１）
図１は、本発明の実施形態である錠剤ケースの一例を示す図であって、図１（ａ）は断面図であり、図１（ｂ）は錠剤ケースの下蓋部の斜視図である。
なお、図１（ａ）は、本発明の実施形態である錠剤ケース１１に錠剤１を嵌め込んだ状態を示す図であって、図１（ｂ）のＡ−Ａ’線の断面図である。
【００１４】
図１（ａ）に示すように、本発明の錠剤ケース１１は、下蓋部２２と、前記下蓋部２２を覆うように嵌めあわされた上蓋部２１とから概略構成されている。
図１（ａ）ではスライド機構図を省略しているが、上蓋部２１に対して、下蓋部２２がスライドして動くスライド機構が備えられている。
上蓋部２１および下蓋部２２は、ともに薄いトレイ状の部材で略同形に構成されている。先に記載したスライド機構によって設計範囲内で下蓋部２２がスライドして動くことができるほかは、上蓋部２１と下蓋部２２との間でずれや外れ等が生じ難く、錠剤ケース１１の内部が露出するようなことはない構成とされている。
上蓋部２１および下蓋部２２は、例えば、ポリプロピレンやポリエチレン、あるいはポリスチレン等の熱可塑性樹脂を用いて、上記の所定形状に成形することによって得ることができる。
【００１５】
下蓋部２２と上蓋部２１との間には、錠剤取り出し領域３と錠剤保持領域４とからなる収容領域５が設けられ、複数の錠剤１が収容される構成とされている。
錠剤１とは、固形状内容物であり、一般的な錠剤の他、粒状ガムや清涼用粒状物、あるいは口臭抑制剤等の小型粒状の固形物である。また、必要に応じて錠剤ケース１１内から小出しで取り出して使用されるものである。
【００１６】
（開口部）
図１（ｂ）には示すように、下蓋部２２の側壁２２ａには、側壁２２ａの一部分が切り欠かれてなる開口部２０が設けられている。
開口部２０の形状は、略矩形状とされている。しかし、開口部２０の形状は特に限定されるものではなく、錠剤１を速やかに取り出すことのできる形状であればよい。
また、開口部２０の大きさは、錠剤１が３個程度並列に取り出せる大きさとされている。開口部２０の大きさは、錠剤１を収容する収容領域５の大きさ、錠剤１の大きさ等を考慮して形成することが好ましく、図１に示す錠剤ケース１１および錠剤１の場合には、錠剤１が３個程度並列に取り出せる大きさが好ましい。錠剤１を多く収容できるとともに、１回の振り出し動作で確実に取り出すことができるためである。開口部２０の大きさが大きすぎる場合には錠剤１を必要量収容できない場合が発生し、開口部２０の大きさが小さすぎる場合には、１回の振り出し動作で確実に取り出すことができない場合が発生するので好ましくない。
開口部２０の位置は、長辺の側壁２２ａにおいて、一方の短辺の側壁２２ｂに片寄った位置で形成されている。使用者が錠剤ケース１１を手指で操作する際の使用性を考慮したためである。一方の短辺の側壁２２ｂに片寄った位置で形成した場合には、１回の振り出し動作で、錠剤１を開口部１から取り出しやすい構成となる。長辺の側壁２２ａの中央に形成した場合には、１回の振り出し動作で、錠剤１を開口部１の近傍に配置されることが難しくなるので好ましくない。
【００１７】
図１（ａ）ではスライド機構図を省略しているが、上蓋部２１に対して、下蓋部２２がスライドして動くスライド機構が備えられており、このスライド機構によって、開口部２０は開閉自在とされている。
なお、開口部２０を開閉自在とする構成は、上記に限定されるものではなく、スライド機構を備えた蓋が上蓋部２１に備えられ、その蓋がスライドされることにより、開口部２０が開閉自在とされる構成であってもよい。
【００１８】
（収容領域）
図１（ａ）および図１（ｂ）に示すように、収容領域５は、開口部２０に近い錠剤取り出し領域３と、開口部２０から遠い錠剤保持領域４とから構成されている。そのため、錠剤１が錠剤取り出し領域３にあるときは、錠剤１が錠剤保持領域４にあるときよりも、錠剤１を開口部２０から取り出しやすいこととなる。
なお、錠剤取り出し領域３と錠剤保持領域４は、収容領域５内のある位置に配置された錠剤１が、収容領域５内の別な位置に配置された錠剤１より取り出しやすいかどうかを統計的に処理して決定されるものであり、錠剤ケースの収容領域の形状、大きさによって決まる。たとえば、図１（ａ）および図１（ｂ）に示す錠剤ケースの場合には、錠剤取り出し領域３と錠剤保持領域４は、ほぼ同じ容積とされている。
錠剤取り出し領域３と錠剤保持領域４を分離するように、下蓋部２２の内底面２２ｅに、２つの錠剤戻り防止部３０が平面視傾斜するように形成されている。ここでいう分離とは錠剤取り出し領域３と錠剤保持領域４を大まかに分けることを意味し、錠剤戻り防止部３０が、錠剤取り出し領域３と錠剤保持領域４の境界近傍に配置されることを意味する。
【００１９】
（錠剤戻り防止部）
図１（ａ）および図１（ｂ）に示すように、錠剤戻り防止部３０は、下蓋部２２の内底面２２ｅから山型に突出され、錠剤取り出し領域側の面３１ａと錠剤保持領域側の面３１ｂを有する突出段差部３１から形成されている。
（突出段差部）
図１（ａ）に示すように、突出段差部３１の錠剤取り出し領域側の面３１ａは、直角または急斜面として形成され、突出段差部３１の錠剤保持領域側の面３１ｂは、錠剤取り出し領域側の面３１ａに対して緩やかになるように形成されている。
このように、突出段差部３１の錠剤保持領域側の面３１ｂは、錠剤取り出し領域側の面３１ａに対して緩やかになるように形成されることが好ましい。このようにすることにより、収容領域５に保持された錠剤１を、錠剤保持領域４から錠剤取り出し領域３へ移動することは易しく、錠剤取り出し領域３から錠剤保持領域４へ移動することは難しくすることができる。その結果、収容領域５に保持された錠剤１は、自然に錠剤取り出し領域３に集められることとなる。
【００２０】
図１（ｂ）に示すように、突出段差部３１は、接合部分３１ｄ、３１ｅによって、それぞれ開口部２０が設けられた側壁２２ａと、側壁２２ａと対向する側壁２２ｃとに連結されている。
このようにすることによって、錠剤取り出し領域３と錠剤保持領域４を分離することができ、２つの異なる斜面からなる突出段差部を有する錠剤戻り防止部３０によって、錠剤１は自然に錠剤取り出し領域３に集められることとなる。
しかしながら、接合部分３１ｄまたは３１ｅのどちらか一方が側壁２２ａまたは２２ｃに連結されていない場合には、錠剤取り出し領域３と錠剤保持領域４がつなげられ、錠剤１は自由に錠剤取り出し領域３と錠剤保持領域４を移動できることとなるので好ましくない。
【００２１】
突出段差部３１は、平面視したときに、開口部２０の開口面２０ａに対して傾斜するように配置されることが好ましい。
開口部２０の開口面２０ａに対して鋭角となるように突出段差部３１を配置した場合には、突出段差部３１を乗り越えた錠剤１は、開口部２０の近傍に配置されることとなり、速やかに開口部２０から取り出されることとなるので好ましい。逆に、開口部２０の開口面２０ａに対して垂直あるいは鈍角となるように突出段差部３１を配置した場合には、開口部２０の近傍に配置されることにはならず、速やかに開口部２０から取り出素ことができず好ましくない。また、錠剤保持領域４も必要以上に狭くなるので好ましくない。
【００２２】
突出段差部３１の形状、大きさは、特に限定されず、収容領域５に保持された錠剤１が、錠剤保持領域４から錠剤取り出し領域３へ移動することは易しく、錠剤取り出し領域３から錠剤保持領域４へ移動することは難しくするような形状、大きさであればよい。
具体的な形状としては、先に記載した山型形状のほか、頂部を境として曲率の異なる凸曲面を有する略半円柱形状などとすることができる。また、山型形状において、側面の一辺が平面視波状となっていてもよい。
なお、錠剤１の移動を容易とするためには、錠剤保持領域側の面３１ｂをできるだけ緩やかな斜面となることが好ましく、また、錠剤１の移動を難しくするためには、錠剤取り出し領域側の面３１ａをできるだけ急峻な斜面または直角とすることが好ましい。
【００２３】
錠剤戻り防止部３０は、複数の突出段差部３１から構成されることが好ましい。複数の突出段差部３１を形成することにより、錠剤１が錠剤取り出し領域３から錠剤保持領域４へ戻るのを防止する効果（戻り防止効果）を高めることができる。
その結果、収容領域５に保持された錠剤１を、より錠剤取り出し領域３に集めることができる。
【００２４】
本発明の実施形態である錠剤ケース１１は、開口部２０に近い錠剤取り出し領域３と開口部２０から遠い錠剤保持領域４とからなる収容領域５を有し、錠剤保持領域４に必要量の錠剤を保持することができるとともに、開口部２０から取り出すことが容易な錠剤取り出し領域３に常に錠剤１を配置して、１回の振り出し動作で確実に錠剤１を取り出すことができる。
【００２５】
本発明の実施形態である錠剤ケース１１は、開口部２０に近い錠剤取り出し領域３と開口部２０から遠い錠剤保持領域４との間に錠剤戻り防止部３０が形成される構成なので、錠剤１が錠剤保持領域４から錠剤取り出し領域３へ移動することは易しく、錠剤取り出し領域３から錠剤保持領域４へ移動することは難しくすることができる。その結果、収容領域５に保持された錠剤１を、より錠剤取り出し領域３に集め、１回の振り出し動作で確実に錠剤１を取り出すことができる。
【００２６】
本発明の実施形態である錠剤ケース１１は、錠剤戻り防止部３０が、下蓋部２２の内底面２２ｅから山型に突出され、錠剤取り出し領域側の面３１ａと錠剤保持領域側の面３１ｂを有する突出段差部３１からなり、錠剤取り出し領域側の面３１ａが垂直または急斜面にされ、錠剤保持領域側の面３１ｂが錠剤取り出し領域側の面３１ａに対して緩やかにされている構成なので、錠剤１が錠剤保持領域４から錠剤取り出し領域３へ移動することは易しく、錠剤取り出し領域３から錠剤保持領域４へ移動することは難しくすることができる。その結果、収容領域５に保持された錠剤１を、より錠剤取り出し領域３に集め、１回の振り出し動作で確実に錠剤１を取り出すことができる。
【００２７】
（実施形態２）
図２は、本発明の実施形態である錠剤ケースの別の一例を示す図であって、図２（ａ）は断面図であり、図２（ｂ）は錠剤ケースの下蓋部の斜視図である。
なお、図２（ａ）は、本発明の実施形態である錠剤ケース１２に錠剤１を入れた状態を示す図であって、図２（ｂ）のＢ−Ｂ’線の断面図である。
【００２８】
錠剤戻り防止部３０を構成する突出段差部３２の錠剤取り出し領域側の面３２ａおよび錠剤保持領域側の面３２ｂが凸曲面からなることを除いては、実施形態１と同様の構成とされている。なお、実施形態１と同じ部材については、同じ符号をつけて示している。
【００２９】
図２（ａ）に示すように、突出段差部３２の錠剤取り出し領域側の面３２ａと錠剤保持領域側の面３２ｂはそれぞれ、頂部３３を境界として曲率の異なる凸曲面として形成されている。なお、曲面３２ａ、３２ｂの曲率は特に限定されない。
また、錠剤取り出し領域側の面３２ａは急峻な面とされ、錠剤保持領域側の面３２ｂは錠剤取り出し領域側の面３２ａに対して緩やかになるように形成されている。
図２（ｂ）に示すように、突出段差部３２は、接合部分３２ｄ、３２ｅにより、それぞれ開口部２０が設けられた側壁２３ａと、側壁２３ａと対向する側壁２３ｃとに連結されている。
このような構成であっても、突出段差部３２の錠剤保持領域側の面３２ｂは、錠剤取り出し領域側の面３２ａに対して緩やかになるように形成されているので、実施形態１と同様に、錠剤１は、錠剤保持領域４から錠剤取り出し領域３へ移動することは易しく、錠剤取り出し領域３から錠剤保持領域４へ移動することは難しくされている。その結果、収容領域５に保持された錠剤１は、自然に錠剤取り出し領域３に集められることとなる。
【００３０】
本発明の実施形態である錠剤ケース１２は、錠剤戻り防止部３０を構成する突出段差部３２の錠剤取り出し領域側の面３２ａおよび錠剤保持領域側の面３２ｂが凸曲面からなるが、錠剤取り出し領域側の面３２ａは急峻な面とされ、錠剤保持領域側の面３２ｂは錠剤取り出し領域側の面３２ａに対して緩やかになるように形成されている構成なので、錠剤１が錠剤保持領域４から錠剤取り出し領域３へ移動することは易しく、錠剤取り出し領域３から錠剤保持領域４へ移動することは難しくすることができる。
その結果、収容領域５に保持された錠剤１を、より錠剤取り出し領域３に集め、１回の振り出し動作で確実に錠剤１を取り出すことができる。
【００３１】
（実施形態３）
図３は、本発明の実施形態である錠剤ケースの別の一例を示す図であって、図３（ａ）は断面図であり、図３（ｂ）は錠剤ケースの下蓋部の斜視図である。
なお、図３（ａ）は、本発明の実施形態である錠剤ケース１２に錠剤１を入れた状態を示す図であって、図３（ｂ）のＣ−Ｃ’線の断面図である。
錠剤取り出し領域３の下蓋部２４の内底面２４ｅにブロッキング防止部６０が設けられている他は、実施形態１と同様の構成とされている。なお、実施形態１と同じ部材については、同じ符号をつけて示している。
【００３２】
（ブロッキング防止部）
図３（ａ）および図３（ｂ）に示すように、錠剤取り出し領域３の下蓋部２４の内底面２４ｅの一部が削られて、ブロッキング防止部６０が形成されている。
ブロッキング防止部６０は、それぞれ長さの異なる複数の姿勢変更段差部６１、６２、６３が並行に形成されて構成されている。姿勢変更段差部６１、６２、６３は開口部２０に連なるように形成されており、３列の姿勢変更段差部６１、６２、６３の幅方向（側壁２４ａの長さ方向）の寸法が、開口部２０の幅方向と略同程度の寸法とされている。
【００３３】
姿勢変更段差部６１、６２、６３の長さ方向の寸法は、姿勢変更段差部６１が最も大きな寸法Ｌ１とされ、次いで姿勢変更段差部６２の寸法Ｌ２、姿勢変更段差部６３の寸法Ｌ３の順となっている。また、これら各寸法Ｌ１、Ｌ２、Ｌ３は、錠剤ケース１１に収容される錠剤１のサイズに応じて適宜決定され、例えば、姿勢変更段差部６１を、錠剤１が直列に概略３個収容できる程度の寸法Ｌ１とし、姿勢変更段差部６２を、錠剤１が直列に概略２個収容できる程度の寸法Ｌ２、姿勢変更段差部６３を、錠剤１が１個収容できる程度の寸法Ｌ３とすることができる。
【００３４】
また、姿勢変化制御部６１、６２、６３の各々の幅方向の寸法Ｗとしては、例えば、錠剤１のサイズに応じ、錠剤１が概略１個収容できる程度の寸法Ｗとして、姿勢変化制御部６１、６２、６３をそれぞれ幅方向同寸とすることができる。
また、姿勢変化制御部６１、６２、６３の深さ方向の寸法としても、錠剤１のサイズに応じ、この錠剤１を収容して錠剤ケース１１内における動きをガイドできる程度の深さ寸法とすれば良い。
【００３５】
姿勢変更段差部６１、６２、６３は、上記構成により、錠剤ケース１１内においてランダムに複数収容される錠剤１が、凹状の段差部とされた姿勢変更段差部６１、６２、６３に入り込むことで姿勢が変化され、整列状態に制御される。これにより、例えば、錠剤ケース１１内部から錠剤１を取り出す際、錠剤ケース１１内において錠剤１のブロッキング現象が生じるのが抑制され、効率良く小出しで取り出すことが可能となる。
【００３６】
このような構成であっても、突出段差部３１の錠剤取り出し領域側の面３１ａは直角または急峻な面とされ、錠剤保持領域側の面３１ｂは錠剤取り出し領域側の面３１ａに対して緩やかになるように形成されているので、実施形態１と同様に、錠剤１は、錠剤保持領域４から錠剤取り出し領域３へ移動することは易しく、錠剤取り出し領域３から錠剤保持領域４へ移動することは難しくされている。その結果、収容領域５に保持された錠剤１は、自然に錠剤取り出し領域３に集められることとなる。
さらに、錠剤取り出し領域３に集められた錠剤１は、ブロッキング防止部６０で姿勢を制御されて効率よく開口部２０から取り出されることができる。
【００３７】
本発明の実施形態である錠剤ケース１３は、錠剤戻り防止部３０が、下蓋部２４の内底面２４ｅから山型に突出され、錠剤取り出し領域側の面３１ａと錠剤保持領域側の面３１ｂを有する突出段差部３１からなり、錠剤取り出し領域側の面３１ａが垂直または急斜面にされ、錠剤保持領域側の面３１ｂが錠剤取り出し領域側の面３１ａに対して緩やかにされている構成なので、錠剤１が錠剤保持領域４から錠剤取り出し領域３へ移動することは易しく、錠剤取り出し領域３から錠剤保持領域４へ移動することは難しくすることができる。その結果、収容領域５に保持された錠剤１を、より錠剤取り出し領域３に集め、１回の振り出し動作で確実に錠剤１を取り出すことができる。
その結果、収容領域５に保持された錠剤１を、より錠剤取り出し領域３に集め、１回の振り出し動作で確実に錠剤１を取り出すことができる。
さらに、錠剤取り出し領域３に集められた錠剤１は、ブロッキング防止部６０で姿勢を制御されて効率よく開口部２０から取り出されることができる。
【００３８】
（実施形態４）
図４は、本発明の実施形態である錠剤ケースの別の一例を示す図であって、図４（ａ）は断面図であり、図４（ｂ）は錠剤ケースの下蓋部の斜視図であり、図４（ｃ）は錠剤ケースの下蓋部の平面図である。
なお、図４（ａ）は、本発明の実施形態である錠剤ケース１２に錠剤１を入れた状態を示す図であって、図３（ｂ）のＤ−Ｄ’線の断面図である。
錠剤戻り防止部３０を構成する突出段差部３４の形状が、実施形態１と異なり、平面視波状となる錠剤取り出し領域側の面３４ａを有する他は、実施形態１と同様の構成とされている。なお、実施形態１と同じ部材については、同じ符号をつけて示している。
【００３９】
図４（ｂ）および図４（ｃ）に示すように、突出段差部３４の錠剤取り出し領域側の面３４ａは、平面視波状となるように形成されている。平面視波状とされることによって、錠剤取り出し領域側の面３４ａに、開口部２０と反対の方向に窪んだ形状となるトラップ部４０が形成される。
このようなトラップ部４０が設けられている場合、錠剤ケース１４を開口部２０と反対の方向に傾けたときに、錠剤取り出し領域側の面３４ａにある錠剤１は、トラップ部４０にトラップされ移動が妨げられる。すなわち、錠剤１が錠剤取り出し領域３から錠剤保持領域４へ移動することがより難しくされる。
【００４０】
このような構成であっても、突出段差部３４の錠剤取り出し領域側の面３４ａは直角または急峻な面とされ、錠剤保持領域側の面３４ｂは錠剤取り出し領域側の面３４ａに対して緩やかになるように形成されているので、実施形態１と同様に、錠剤１は、錠剤保持領域４から錠剤取り出し領域３へ移動することは易しく、錠剤取り出し領域３から錠剤保持領域４へ移動することは難しくされている。
その結果、収容領域５に保持された錠剤１は、自然に錠剤取り出し領域３に集められることとなる。
さらに、錠剤取り出し領域３に集められた錠剤１は、トラップ部４０で移動を妨げられ、より効率よく開口部２０から取り出されることができる。
【００４１】
本発明の実施形態である錠剤ケース１４は、錠剤戻り防止部３０が、下蓋部２５の内底面２５ｅから山型に突出され、錠剤取り出し領域側の面３４ａと錠剤保持領域側の面３４ｂを有する突出段差部３４からなり、錠剤取り出し領域側の面３４ａが垂直または急斜面にされ、錠剤保持領域側の面３４ｂが錠剤取り出し領域側の面３４ａに対して緩やかにされている構成なので、錠剤１が錠剤保持領域４から錠剤取り出し領域３へ移動することは易しく、錠剤取り出し領域３から錠剤保持領域４へ移動することは難しくすることができる。その結果、収容領域５に保持された錠剤１を、より錠剤取り出し領域３に集め、１回の振り出し動作で確実に錠剤１を取り出すことができる。
その結果、収容領域５に保持された錠剤１を、より錠剤取り出し領域３に集め、１回の振り出し動作で確実に錠剤１を取り出すことができる。
さらに、錠剤取り出し領域３に集められた錠剤１は、トラップ部４０で移動を妨げられ、より効率よく開口部２０から取り出されることができる。
【００４２】
（実施形態５）
図５は、本発明の実施形態である錠剤ケースの別の一例を示す図であって、図５（ａ）は斜視図であり、図５（ｂ）は透明斜視図である。
なお、図５（ａ）は、本発明の実施形態である錠剤ケース１５に錠剤１を入れた状態を示している。
錠剤ケース１５の形状がスライド型ケースではなく、ヒンジキャップ付きカード型ケースであり、開口部２０近傍に実施形態３で記載したブロッキング防止部６０が備えられている他は、実施形態１と同様の構成とされている。なお、実施形態１と同じ部材については、同じ符号をつけて示している。
【００４３】
このような構成であっても、突出段差部３１の錠剤取り出し領域側の面３１ａは直角または急峻な面とされ、錠剤保持領域側の面３１ｂは、錠剤取り出し領域側の面３１ａに対して緩やかになるように形成されているので、実施形態１と同様に、錠剤１は、錠剤保持領域４から錠剤取り出し領域３へ移動することは易しく、錠剤取り出し領域３から錠剤保持領域４へ移動することは難しくされている。その結果、収容領域５に保持された錠剤１は、自然に錠剤取り出し領域３に集められることとなる。
【００４４】
本発明の実施形態である錠剤ケース１５は、錠剤戻り防止部３０が、下蓋部２７の内底面２７ｅから山型に突出され、錠剤取り出し領域側の面３１ａと錠剤保持領域側の面３１ｂを有する突出段差部３１からなり、錠剤取り出し領域側の面３１ａが垂直または急斜面にされ、錠剤保持領域側の面３１ｂが錠剤取り出し領域側の面３１ａに対して緩やかにされている構成なので、錠剤１が錠剤保持領域４から錠剤取り出し領域３へ移動することは易しく、錠剤取り出し領域３から錠剤保持領域４へ移動することは難しくすることができる。その結果、収容領域５に保持された錠剤１を、より錠剤取り出し領域３に集め、１回の振り出し動作で確実に錠剤１を取り出すことができる。
その結果、収容領域５に保持された錠剤１を、より錠剤取り出し領域３に集め、１回の振り出し動作で確実に錠剤１を取り出すことができる。
さらに、錠剤取り出し領域３に集められた錠剤１は、ブロッキング防止部６０で姿勢を制御されて効率よく開口部２０から取り出されることができる。
【産業上の利用可能性】
【００４５】
本発明は、錠剤ケースに関するものであって、錠剤または錠剤ケースを製造、販売する産業において利用可能性がある。
【図面の簡単な説明】
【００４６】
【図１】本発明の錠剤ケースの一例を示す図である。
【図２】本発明の錠剤ケースの一例を示す図である。
【図３】本発明の錠剤ケースの一例を示す図である。
【図４】本発明の錠剤ケースの一例を示す図である。
【図５】本発明の錠剤ケースの一例を示す図である。
【図６】従来の錠剤ケースの一例を示す図である。
【符号の説明】
【００４７】
１…錠剤、３…錠剤取り出し領域、４…錠剤保持領域、５…収容領域、１１、１２、１３、１４、１５…錠剤ケース、２１、２６…上蓋部、２２、２３、２４、２５、２７…下蓋部、２２ａ、２２ｂ、２２ｃ、２２ｄ…側壁、２２ｅ…内底面、２３ａ、２３ｂ、２３ｃ、２３ｄ…側壁、２３ｅ…内底面、２４ａ、２４ｂ、２４ｃ、２４ｄ…側壁、２４ｅ…内底面、２５ａ、２５ｂ、２５ｃ、２５ｄ…側壁、２５ｅ…内底面、２７ａ、２７ｂ、２７ｃ、２７ｄ…側壁、２７ｅ…内底面、３０…錠剤戻り防止部、３１…突出段差部、３１ａ…錠剤取り出し領域側の面、３１ｂ…錠剤保持領域側の面、３１ｄ、３１ｅ…接合部分、３２…突出段差部、３２ａ…錠剤取り出し領域側の面、３２ｂ…錠剤保持領域側の面、３２ｄ、３２ｅ…接合部分、３３…頂部、３４…突出段差部、３４ａ…錠剤取り出し領域側の面、３４ｂ…錠剤保持領域側の面、３４ｄ、３４ｅ…接合部分、６０…ブロッキング防止部、６１、６２、６３…姿勢変更段差部。
【図１】
0005060937.tif 000002
【図２】
0005060937.tif 000003
【図３】
0005060937.tif 000004
【図４】
0005060937.tif 000005
【図５】
0005060937.tif 000006
【図６】
0005060937.tif 000007